(57)【要約】【課題】火災警報器に対して警報音出力の定期点検を容易に行わせる。【解決手段】ドアホン子器２との間で通話を可能とするインターホン親機１のテスト釦が押下されると、火災警報器３に点検信号を送信して動作確認テストを要求する。点検信号を受信した火災警報器３は動作確認テストを開始し、正常動作か否かを確認する。火災警報器３は、正常動作である場合、正常状態を表現する音を出力し、動作確認テストを終了する。これに対して、正常動作でない場合、つまり異常状態である場合、火災警報器３は音を出力せずに、動作確認テストを終了する。【選択図】図１
2008219288.tif 000002
【特許請求の範囲】
【請求項１】
火災発生を検知すると警報音を出力する機能と、外部から点検信号を受信すると前記警報音出力の点検を行う機能とを有する火災警報器との間で通信を行うとともに、住戸外に設置されるドアホン子器との間で通話を行い、住戸内に設置されるインターホン親機であって、
前記火災警報器との間で信号の送受信を行う送受信手段と、
押操作される押釦と、
前記押釦への押操作時に前記送受信手段に対して前記火災警報器に前記点検信号を送信させる制御手段と
を備えることを特徴とするインターホン親機。
【請求項２】
前記火災警報器の前記警報音出力の点検時期を計測するタイマと、
前記タイマの計測により前記点検時期となったときに当該点検時期となった旨を表示する表示手段と
を備えることを特徴とする請求項１記載のインターホン親機。
【請求項３】
前記火災警報器の前記警報音出力の点検時期を計測するタイマと、
前記タイマの計測により前記点検時期となった後、予め設定された時間に通知音を出力する音通知手段と
を備えることを特徴とする請求項１又は２記載のインターホン親機。
【請求項４】
請求項１乃至３のいずれか１項に記載のインターホン親機と、
住戸外に設置され前記インターホン親機との間で通話を行うドアホン子器とを備えるとともに、
前記インターホン親機との間で通信を行う機能と、火災発生を検知すると警報音を出力する機能と、外部から点検信号を受信すると前記警報音出力の点検を行う機能とを有する火災警報器を備える
ことを特徴とするインターホンシステム。
【発明の詳細な説明】
【技術分野】
【０００１】
本発明は、火災警報器と連動して警報音を出力するインターホン親機及びインターホンシステムに関するものである。
【背景技術】
【０００２】
従来のインターホンシステムとして、特許文献１には、セキュリティセンサーが接続されるセキュリティハンズフリーホンから警報音を出力（鳴動）させるシステム（第１従来例のインターホンシステム）が開示されている。また、特許文献２には、複数の火災警報器が接続し、自己の火災検知による警報音の出力だけでなく、他の火災警報器の火災検知による警報音も出力する連動型火災警報器が開示されている。
【０００３】
ところで、第１従来例のインターホンシステムは、セキュリティセンサーが検知すると火災を検知した旨をセキュリティハンズフリーホンに伝え、セキュリティハンズフリーホンが警報音を出力するようになっているだけである。このため、セキュリティハンズフリーホンへの操作によってセキュリティハンズフリーホンの警報音の出力を停止させることができるが、セキュリティセンサーの警報音の出力を停止させることができないという問題があった。この結果、セキュリティハンズフリーホンへの操作とセキュリティセンサーへの操作との両方を行わなければならず、非常に手間がかかっていた。
【０００４】
上記問題を解決するものとして、特許文献３には、インターホン親機の警報停止釦が押操作されると火災警報器に警報停止信号を送信して火元以外の火災警報器に対して警報音の出力を停止させるインターホンシステム（第２従来例のインターホンシステム）が開示されている。
【特許文献１】特開平０８−０７０３６１号公報（段落００１２〜００２０及び図１）
【特許文献２】特開２００５−３３９０３２号公報（段落００１７〜００２５及び図１）
【特許文献３】特開２００６−１５７１８０号公報（段落０００８〜００１９及び図１，２）
【発明の開示】
【発明が解決しようとする課題】
【０００５】
上記第２従来例のインターホンシステムの火災警報器は通常、天井に取り付けられているものであり、警報音出力に対して定期点検を行うことに関する要望がある。
【０００６】
しかしながら、第２従来例のインターホンシステムには、火災警報器による警報音出力の定期点検を行う場合、ユーザがはしごなどを用いて、火災警報器に設けられている点検釦を操作する必要があった。
【０００７】
本発明は上記の点に鑑みて為されたものであり、その目的とするところは、火災警報器に対して警報音出力の定期点検を容易に行わせることができるインターホン親機及びインターホンシステムを提供することにある。
【課題を解決するための手段】
【０００８】
請求項１のインターホン親機に係る発明は、火災発生を検知すると警報音を出力する機能と、外部から点検信号を受信すると前記警報音出力の点検を行う機能とを有する火災警報器との間で通信を行うとともに、住戸外に設置されるドアホン子器との間で通話を行い、住戸内に設置されるインターホン親機であって、前記火災警報器との間で信号の送受信を行う送受信手段と、押操作される押釦と、前記押釦への押操作時に前記送受信手段に対して前記火災警報器に前記点検信号を送信させる制御手段とを備えることを特徴とする。
【０００９】
請求項２のインターホン親機に係る発明は、請求項１の発明において、前記火災警報器の前記警報音出力の点検時期を計測するタイマと、前記タイマの計測により前記点検時期となったときに当該点検時期となった旨を表示する表示手段とを備えることを特徴とする。
【００１０】
請求項３のインターホン親機に係る発明は、請求項１又は２の発明において、前記火災警報器の前記警報音出力の点検時期を計測するタイマと、前記タイマの計測により前記点検時期となった後、予め設定された時間に通知音を出力する音通知手段とを備えることを特徴とする。
【００１１】
請求項４のインターホンシステムに係る発明は、請求項１乃至３のいずれか１項に記載のインターホン親機と、住戸外に設置され前記インターホン親機との間で通話を行うドアホン子器とを備えるとともに、前記インターホン親機との間で通信を行う機能と、火災発生を検知すると警報音を出力する機能と、外部から点検信号を受信すると前記警報音出力の点検を行う機能とを有する火災警報器を備えることを特徴とする。
【発明の効果】
【００１２】
請求項１の発明によれば、天井が高い住戸に火災警報器が設置されている場合であっても、ユーザは火災警報器を直接操作することなく、一般的に手の届く範囲に設置されるインターホン親機の押釦を押すことによって、火災警報器に対して警報音出力の定期点検を容易に行わせることができる。
【００１３】
請求項２の発明によれば、火災警報器の警報音出力の点検時期を音ではなく画面表示で知らせることができるので、点検時期が夜中であった場合でも住戸人にとって迷惑とならないようにすることができる。
【００１４】
請求項３の発明によれば、火災警報器の警報音出力の点検時期を、予め設定された時間に通知音で通知することによって、点検時期が夜中であった場合でも、点検時期に通知音が出力されることを防止することができるので、住戸人にとって迷惑とならないようにすることができる。
【００１５】
請求項４の発明によれば、天井が高い住戸に火災警報器が設置されている場合であっても、ユーザは火災警報器を直接操作することなく、一般的に手の届く範囲に設置されるインターホン親機の押釦を押すことによって、火災警報器に対して警報音出力の定期点検を容易に行わせることができる。
【発明を実施するための最良の形態】
【００１６】
まず、本発明の実施形態に係るインターホンシステムの構成について図１〜３を用いて説明する。このインターホンシステムは、図１に示すように、住戸内に設置されたインターホン親機１と、例えば玄関などの住戸外に設置されてインターホン親機１との間で通話を行うドアホン子器２と、それぞれが住戸内に設置されてインターホン親機１との間で通信を行い、火災発生を検知すると警報音を出力する複数（図１では３台）の火災警報器３，３，３とを備えている。ここで、ドアホン子器２は２線式の通話線及び２線式の制御線からなる２対の通信線Ｌ１によってインターホン親機１と接続されている。また、複数の火災警報器３，３，３は２線式の信号線Ｌｓによってインターホン親機１にマルチドロップ接続されている。
【００１７】
ドアホン子器２は、図２に示すように、インターホン親機１によって通話線に印加される電圧を受けて内部の動作電源を作成するとともに内部の通話経路と通話線の間を２線−４線変換する受電部２０と、マイクロホン及びスピーカ（図示せず）を有する音声入出力部２１と、マイクロホンから入力する音声信号の増幅やインターホン親機１から通話線を介して送られてくる音声信号の増幅などを行う音声処理部２２と、ＣＣＤのような個体撮像素子とレンズなどの光学系とを有して来訪者を撮像するカメラ部２３と、カメラ部２３から出力される映像信号を周波数変調する映像処理部２４と、来訪者が押操作するための呼出釦２５と、来訪者が呼出釦２５を押操作したときに通話線の線間電圧を変化させるなどして受電部２０から呼出信号を送信させる操作部２６と、インターホン親機１から制御線を介して送られてくる警報表示信号を受けて表示素子（例えば発光ダイオード）を点滅させる表示部２７とを備えている。ここで、音声処理部２２から出力される音声信号（ベースバンド信号）に周波数変調された映像信号（以下「ＦＭ映像信号」という）は受電部２０で多重化され、通話線を通してインターホン親機１に送られる。
【００１８】
各火災警報器３は住宅用火災警報器であり、火災発生による熱及び煙の少なくとも一方を検知する火災検知回路部３０と、例えばブザーやスピーカなどを有して警報音や後述の動作確認音を出力する警報部３１と、例えば発光ダイオードなどの表示素子で火災発生を表示する表示部３２と、信号線Ｌｓを介して他の火災警報器３及びインターホン親機１との間で信号の送受信を行う送受信回路部３３と、火災検知回路部３０の検知出力に基づいて火災発生と判断したときに警報部３１、表示部３２及び送受信回路部３３を制御する制御部（ＣＰＵ）３４と、押操作される押釦３５と、押釦３５が押操作されたときに制御部３４に対して警報部３１の警報音や動作確認音の出力を停止させる操作回路部３６とを備えている。また、複数の火災警報器３，３，３のうち最も外側に接続されている火災警報器３ａは、例えば交流１００Ｖの商用電源（図示せず）より自己又は他の火災警報器３ｂの各部の動作電源を生成する電源回路部３７を備えている。
【００１９】
警報部３１は、制御部３４の制御に基づいて、警報音を出力したり、停止したりする。この警報音はブザー音に限定されるものではなく、例えば「火事です、火事です」などのメッセージであってもよい。本実施形態では、警報音としてブザー音及びメッセージの両方を出力するものとする。また、警報部３１は、制御部３４の制御に基づいて、警報音出力の点検時に、正常動作である場合、正常動作である旨を通知する動作確認音を出力する。この動作確認音もブザー音に限定されるものではなく、例えば「ピッ正常です」などのメッセージであってもよい。本実施形態では、動作確認音はブザー音及びメッセージの両方を出力するものとする。
【００２０】
送受信回路部３３では、信号線Ｌｓに方形波のパルス電圧を印加するとともに信号線Ｌｓに印加されたパルス電圧を検出することで信号を送受信する。具体的には、送受信回路部３３は、他の火災警報器３から信号線Ｌｓを介して検知信号及び復帰信号を受信するとともに、インターホン親機１から信号線Ｌｓを介して連動警報停止信号を受信する。また、他の火災警報器３及びインターホン親機１に対して信号線Ｌｓを介して検知信号及び復帰信号を送信する。
【００２１】
制御部３４は、火災検知回路部３０で火災発生が検知されると火災発生と判断し、警報部３１に対して火元警報として警報音を出力させるように制御し、表示部３２に対して表示素子を点滅させるように制御するとともに、送受信回路部３３に対して他の火災警報器３及びインターホン親機１に検知信号を送信させるように制御する。反対に、送受信回路部３３で他の火災警報器３からの検知信号が受信されると、制御部３４は警報部３１に対して連動警報として警報音を出力させるように制御する。また、制御部３４は、送受信回路部３３でインターホン親機１からの連動警報停止信号が受信されると、火元でない場合、警報部３１に対して連動警報の警報音の出力を停止させるように制御する。これに対し、火元である場合、火元警報の警報音の出力を継続させる。
【００２２】
また、制御部３４は、送受信回路部３３がインターホン親機１から点検信号を受信すると、警報音出力の点検（動作確認テスト）を行うように警報部３１を制御する。
【００２３】
なお、火元の火災警報器３において、火災が消火されて一定時間が経過すると、制御部３４は火災発生と判断しなくなり、警報部３１及び表示部３２を制御して警報音の出力及び表示素子の点滅を停止するとともに、送受信回路部３３から信号線Ｌｓに復帰信号を送信する。火元以外の火災警報器３及びインターホン親機１では、復帰信号を受信すると、警報音の出力及び表示素子の点滅を停止して通常動作に復帰する。
【００２４】
続いて、インターホン親機１の構成について説明する。インターホン親機１は、ドアホン子器２を呼び出すためのドアホン子器呼出検出回路部１０と、ドアホン子器２からのＦＭ映像信号を復調して映像信号を作成する映像復調回路部１１と、液晶ディスプレイ（ＬＣＤ）からなり映像復調回路部１１で復調された映像信号に基づいた映像や火災発生を知らせるためのピクトマークを表示する映像表示用モニタ（表示手段）１２と、複数の火災警報器３，３，３のそれぞれとの間で信号の送受信を行う送受信回路部１３と、警報音を出力するスピーカ１４０を有する音声処理回路部（音通知手段）１４と、警報停止釦やテスト釦を含みそれぞれが押操作される複数の押釦１５と、押操作された押釦１５のそれぞれに対応する操作信号を出力する操作回路部１６と、全体の制御を行う制御部１７と、商用電源（図示せず）より各部の動作電源を生成する電源回路部１８と、火災警報器３の警報音出力の点検時期を計測するタイマ１９とを備えている。このインターホン親機１は、複数の火災警報器３，３，３との間で通信を行うとともに、住戸外に設置されたドアホン子器２との間で通話を行う。
【００２５】
映像表示用モニタ１２は、火災警報器３の警報音出力を点検するときに、制御部１７の制御に基づいて、図３に示すような表示を行う。すべての火災警報器３，３，３を一括して点検を行う場合には図３（ａ）に示すような表示を行う。一方、個別に点検を行う場合には図３（ｂ）に示すような表示を行う。このとき、ユーザは点検を行う火災警報器３を選択して、点検を開始させる。また、映像表示用モニタ１２は、制御部１７の制御に基づいて、いずれか又はすべての火災警報器３，３，３が点検時期となったときも、図３に示すような表示を行い、火災警報器３が点検時期となった旨を表示する。
【００２６】
図２に示す送受信回路部１３は、各火災警報器３の送受信回路部３３と同様に、信号線Ｌｓにパルス電圧を印加するとともに信号線Ｌｓに印加されたパルス電圧を検出することで信号を送受信する。具体的には、送受信回路部１３は、各火災警報器３から信号線Ｌｓを介して検知信号及び復帰信号を受信するとともに、各火災警報器３に対して信号線Ｌｓを介して連動警報停止信号を送信する。
【００２７】
音声処理回路部１４はスピーカ１４０及びマイクロホン１４１を備え、送受信回路部１３が検知信号を受信すると、制御部１７から制御信号が入力され、スピーカ１４０から警報音を出力する。この警報音はブザー音に限定されるものではなく、例えば「火事です、火事です」などのメッセージであってもよい。本実施形態では、警報音としてブザー音及びメッセージの両方を出力するものとする。また、音声処理回路部１４は、マイクロホン１４１から入力される音声信号とドアホン子器２からの音声信号とを比較し、信号レベルが低い方の音声信号を減衰させることで通話方向（インターホン親機１→ドアホン子器２又はドアホン子器２→インターホン親機１）を切り換える。さらに、音声処理回路部１４は、制御部１７の制御に基づいて、いずれか又はすべての火災警報器３が点検時期となった後、後述の予め設定された時間に通知音を出力する。この動作通報音はブザー音に限定されるものではなく、メッセージであってもよい。本実施形態では、動作通報音はブザー音及びメッセージの両方を出力するものとする。
【００２８】
操作回路部１６は、複数の押釦１５のうち通話釦への押操作によりオンする通話スイッチやモニタ釦への押操作によりオンするモニタスイッチを有し、各スイッチがオンしたときにそれぞれ対応する操作信号を制御部１７に出力する。また、操作回路部１６は、警報停止釦への押操作によりオンする警報停止スイッチを有し、スピーカ１４０による警報音の出力中に警報停止釦への押操作が行われると、警報停止用操作信号を制御部１７に出力する。さらに、操作回路部１６は、テスト釦への押操作によりオンするテストスイッチを有し、テスト釦への押操作が行われると、テスト操作信号を制御部１７に出力する。
【００２９】
制御部１７はマイクロコンピュータを主構成要素とし、通信線（通話線）Ｌ１に直流電圧を印加してドアホン子器２への給電を行うとともにドアホン子器２から多重化されて伝送されてくる音声信号とＦＭ映像信号を分離する。
【００３０】
また、制御部１７は警報停止手段であり、操作回路部１６から警報停止用操作信号が入力されると、音声処理回路部１４に対してスピーカ１４０からの警報音の出力を停止させるとともに、送受信回路部１３に対して複数の火災警報器３，３，３に連動警報停止信号を送信させる。
【００３１】
さらに、制御部１７は、操作回路部１６からテスト操作信号が入力されると、送受信回路部１３に対して火災警報器３に点検信号を送信させる。
【００３２】
制御部１７は、タイマ１９の計測により点検時期となったときに、この点検時期となった旨を表示するように映像表示用モニタ１２を制御する。また、制御部１７は、タイマ１９の計測により点検時期となった後、予め設定された時間に通知音を出力するように音声処理回路部１４を制御する。
【００３３】
上記予め設定された時間は、ユーザの生活などの状況に応じて適宜設定されるものである。一般的には睡眠中の夜中を避けて日中の時間帯に設定されることが多いが、例えばユーザが夜勤などの場合にも対応できるように、朝方や夕方、夜中に設定可能なものとなっている。また、予め設定された時間には、例えば「午前８時」というような時刻だけではなく、例えば「午前８時から午後８時まで」のような予め設定された時間帯も含まれる。例えば予め設定された時間が午前９時であったとすると、制御部１７は、火災警報器３の点検時期が午前５時であった場合、その日の午前９時に通知音を出力するように音声処理回路部１４を制御するものの、上記点検時期が午前１１時であった場合、翌日の午前９時に通知音を出力するように制御する。これに対して、予め設定された時間が午前８時から午前１２時までの時間帯であったとすると、制御部１７は、上記点検時期が午前１１時であった場合、そのときに通知音を出力するように制御することができる。なお、上記点検時期が午後１時であった場合、制御部１７は、翌日の午前８時に通知音を出力するように音声処理回路部１４を制御する。
【００３４】
ここで、検知信号や連動警報停止信号、復帰信号、点検信号は信号線Ｌｓに方形波のパルス電圧を印加することで送信される。これらの信号の信号フォーマットは、信号の送信開始を示すスタートパルスと、信号の送信先のアドレスが設定される送信先アドレスパルスと、信号の送信元のアドレスが設定される送信元アドレスパルスと、検知信号、連動警報停止信号、復帰信号又は点検信号のいずれかに対応するコマンドパルスと、信号の送信終了を示すエンドパルスとを有する。インターホン親機１、ドアホン子器２及び各火災警報器３のそれぞれにはアドレスが予め設定されている。コマンドパルスは、例えば、Ｌ，Ｈ，Ｌのときが検知信号、Ｈ，Ｌ，Ｌのときが連動警報停止信号、Ｈ，Ｈ，Ｈのときが復帰信号、Ｌ，Ｌ，Ｈのときが点検信号としている。
【００３５】
次に、本実施形態のインターホンシステムにおいて、インターホン親機１とドアホン子器２の間での動作について図２を用いて説明する。まず、来訪者がドアホン子器２の呼出釦２５を押操作すると、操作部２６が受電部２０に対して通信線（通話線）Ｌ１を介してインターホン親機１に呼出信号を送信させる。これとは別に、カメラ部２３及び映像処理部２４が起動し、カメラ部２３で撮像された来訪者の映像のＦＭ映像信号も受電部２０から通信線（通話線）Ｌ１を介してインターホン親機１に伝送される。インターホン親機１では、制御部１７が呼出信号を受信し、音声処理回路部１４を制御してスピーカ１４０から呼出音を出力させるとともに、ドアホン子器２から伝送されてきたＦＭ映像信号を映像復調回路部１１で復調させて来訪者の映像を映像表示用モニタ１２に表示させる。そして、住戸内の家人がインターホン親機１における複数の押釦１５のうち通話釦を押操作すると操作回路部１６から操作信号が出力され、この操作信号を受けた制御部１７が音声処理回路部１４と通信線（通話線）Ｌ１の間に通話路を形成することによって、インターホン親機１とドアホン子器２の間で通話が行われる。
【００３６】
次に、本実施形態のインターホンシステムにおいて、火災警報器３が火災発生を検知した場合の動作について図２を用いて説明する。いずれかの火災警報器３において火災検知回路部３０が火災発生を検知した場合、制御部３４は火災検知回路部３０からの検知出力に基づいて火災発生と判断し、警報部３１を制御して火元警報として警報音を出力させるとともに表示部３２を制御して表示素子を点滅させ、さらに送受信回路部３３を制御して検知信号を信号線Ｌｓに送信させる。一方、他の火災警報器３では、火災発生を検知した火災警報器（以下「火元の火災警報器」という）３から送信された検知信号を送受信回路部３３が受信すると、制御部３４が警報部３１を制御して連動警報として警報音を出力させるとともに表示部３２を制御して表示素子を点滅させる。インターホン親機１では、火元の火災警報器３から送信された検知信号を送受信回路部１３が受信すると、制御部１７が音声処理回路部１４を制御してスピーカ１４０から警報音を出力させるとともに、映像復調回路部１１を制御して映像表示用モニタ１２に火災発生を知らせるためのピクトマークを表示させる。
【００３７】
上記より、いずれかの火災警報器３で火災発生が検知された場合、すべての火災警報器３，３，３とインターホン親機１が警報音の出力等を行うことで、家人に火災発生を速やかに知らせることができる。
【００３８】
次に、本実施形態のインターホンシステムにおいて、火災警報器３の警報音出力の点検に関する動作について図２，４を用いて説明する。まず、インターホン親機１のテスト釦が押下されると、操作回路部１６から制御部１７にテスト操作信号が入力され、制御部１７は送受信回路部１３を制御して火災警報器３に点検信号を送信して動作確認テストを要求する（図４のＳ１）。点検信号を受信した火災警報器３は動作確認テストを開始し、正常動作か否かを確認する（Ｓ２）。火災警報器３は、正常動作である場合、正常状態を表現する音を出力（鳴動）し、動作確認テストを終了する（Ｓ３）。これに対して、正常動作でない場合、つまり異常状態である場合、火災警報器３は音を出力せずに、動作確認テストを終了する。
【００３９】
以上、本実施形態によれば、天井が高い住戸に火災警報器３が設置されている場合であっても、ユーザは火災警報器３を直接操作することなく、一般的に手の届く範囲に設置されるインターホン親機１のテスト釦を押すことによって、火災警報器３に対して警報音出力の定期点検を容易に行わせることができる。
【００４０】
また、火災警報器３の警報音出力の点検時期を音ではなく画面表示で知らせることができるので、点検時期が夜中であった場合でも住戸人にとって迷惑とならないようにすることができる。
【００４１】
さらに、火災警報器３の警報音出力の点検時期を、予め設定された時間に通知音で通知することによって、点検時期が夜中であった場合でも、点検時期に通知音が出力されることを防止することができるので、住戸人にとって迷惑とならないようにすることができる。
【図面の簡単な説明】
【００４２】
【図１】本発明の実施形態に係るインターホンシステムの構成図である。
【図２】同上に係るインターホンシステムのブロック図である。
【図３】同上に係る映像表示用モニタを示す図である。
【図４】同上に係るインターホンシステムにおいて火災警報器の警報音出力の点検に関する動作を示すフローチャートである。
【符号の説明】
【００４３】
１  インターホン親機
１２  映像表示用モニタ
１３  送受信回路部
１４  音声処理回路部
１４０  スピーカ
１５  押釦
１７  制御部
１９  タイマ
２  ドアホン子器
３（３ａ，３ｂ）  火災警報器
３０  火災検知回路部
３１  警報部
３３  送受信回路部
３４  制御部
【図１】
2008219288.tif 000003
【図２】
2008219288.tif 000004
【図３】
2008219288.tif 000005
【図４】
2008219288.tif 000006